(57)【要約】  ＣＡＬＭシステムの移動マルチメディア端末であって、少なくとも２つ以上の無線メディア信号を送受信する無線マルチメディア通信送受信部と、前記無線マルチメディア通信送受信部が無線マルチメディア信号の入力を受ける無線メディアのインターフェースＩＤを獲得し、獲得したインターフェースＩＤを有する各無線メディアのための通信チャネルを設定する通信リンク判断及び管理部と、前記通信リンク判断及び管理部を制御して前記インターフェースＩＤを獲得し前記通信チャネルを設定し、前記設定されたチャネルを介してデータの送受信を制御する無線通信制御部とを備える。
2009542152.tif 000002
【特許請求の範囲】
【請求項１】
ＣＡＬＭ（Continuous Air Interface for Long and Medium range）システムの移動マルチメディア端末であって、
少なくとも２つ以上の無線メディア信号を送受信する無線マルチメディア通信送受信部と、
前記無線マルチメディア通信送受信部が無線マルチメディア信号の入力を受ける無線メディアのインターフェースＩＤを獲得し、獲得したインターフェースＩＤを有する各無線メディアのための通信チャネルを設定する通信リンク判断及び管理部と、
前記通信リンク判断及び管理部を制御して前記インターフェースＩＤを獲得し前記通信チャネルを設定し、前記設定されたチャネルを介してデータの送受信を制御する無線通信制御部と
を備えるＣＡＬＭシステムの移動マルチメディア端末。
【請求項２】
前記無線マルチメディア通信送受信部は、ＷＬＡＮ、セルラー／ＧＳＭ（Global System for Mobile communications）、無線インターネット、赤外線、ミリメートル波、ＰＡＮ（Personal Area Network）のうちの少なくとも２つ以上の無線メディアを介して信号を送受信することを特徴とする請求項１に記載のＣＡＬＭシステムの移動マルチメディア端末。
【請求項３】
前記通信リンク判断及び管理部は、前記無線メディアの前記インターフェースＩＤを獲得するメディア決定部を備え、
前記メディア決定部は、ＣＭＥ（CALM Management Entity：ＣＡＬＭ管理エンティティ）、ＮＭＥ（Network Management Entity：ネットワーク管理エンティティ）、ＩＭＥ（Interface Management Entity：インターフェース管理エンティティ）、ＭＭＡＥ（Medium Management Adaptation Entity：メディア適応管理エンティティ）を備え、
これを通じて前記インターフェースＩＤを獲得することを特徴とする請求項１に記載のＣＡＬＭシステムの移動マルチメディア端末。
【請求項４】
前記通信リンク判断及び管理部は、獲得したインターフェースＩＤを有する各無線メディアのための前記通信チャネルを設定し、アプリケーションデータの伝送のためのメディアの管理情報を送受信するメディア管理部を備えることを特徴とする請求項１に記載のＣＡＬＭシステムの移動マルチメディア端末。
【請求項５】
ユーザが優先順位を有する無線メディア通信サービスを選択するための選択スイッチを更に備え、
前記無線通信制御部は、前記選択スイッチに応じて優先順位を有する前記無線メディア通信サービスを提供するように制御することを特徴とする請求項１に記載のＣＡＬＭシステムの移動マルチメディア端末。
【請求項６】
前記無線通信制御部は、前記優先順位を有する前記無線通信サービスが利用できない場合に、自動で他の無線メディアを介して他の無線通信サービスを提供することを特徴とする請求項５に記載のＣＡＬＭシステムの移動マルチメディア端末。
【請求項７】
前記各無線メディア毎に固有に割り当てられた前記インターフェースＩＤを格納するメモリを更に備えることを特徴とする請求項１に記載のＣＡＬＭシステムの移動マルチメディア端末。
【請求項８】
ＣＡＬＭシステムの移動端末を用いてＷＬＡＮ、セルラー／ＧＳＭ、無線インターネット、赤外線、ミリメートル波及びＰＡＮのうちの少なくとも２つ以上の無線メディア通信サービスを提供する方法であって、
前記移動マルチメディア端末が無線マルチメディア信号の入力を受ける無線メディアのインターフェースＩＤを獲得する段階と、
それぞれ前記獲得されたインターフェースＩＤのうちの１つが割り当てられた無線メディアを決定する段階と、
前記決定された無線メディアのそれぞれのための通信チャネルを設定する段階と、
前記設定された通信チャネルを介して通信データを送受信する段階と、
前記無線通信サービスを行う途中に新たなマルチメディア信号が受信される毎に、前記通信チャネルを新たなチャネルに変更する段階と
を含むＣＡＬＭシステムの移動マルチメディア端末を用いた無線マルチメディア通信サービスの提供方法。
【請求項９】
前記無線メディアのインターフェースＩＤは、ＣＡＬＭ構造内のＣＭＥ、ＮＭＥ、ＩＭＥ及びＭＭＡＥを介して獲得することを特徴とする請求項８に記載のＣＡＬＭシステムの移動マルチメディア端末を用いた無線マルチメディア通信サービスの提供方法。
【請求項１０】
無線通信サービスモードを受動モード又は自動モードに選択する段階を更に含むことを特徴とする請求項８に記載のＣＡＬＭシステムの移動マルチメディア端末を用いた無線マルチメディア通信サービスの提供方法。
【請求項１１】
前記無線通信サービスモードが前記受動モードに設定された場合、ユーザに質疑信号を伝送し、ユーザからの応答に該当する無線メディアを介して無線通信サービスを提供する段階を更に含むことを特徴とする請求項１０に記載のＣＡＬＭシステムの移動マルチメディア端末を用いた無線マルチメディア通信サービスの提供方法。
【請求項１２】
前記無線通信サービスモードが前記自動モードに設定されており、任意の優先順位より高い優先順位を有する無線メディアを介した無線通信サービスが不可能である場合に、前記任意の優先順位を有する無線メディアを介した無線通信サービスを提供する段階を更に含むことを特徴とする請求項１０に記載のＣＡＬＭシステムの移動マルチメディア端末を用いた無線マルチメディア通信サービスの提供方法。
【発明の詳細な説明】
【技術分野】
【０００１】
本発明はＣＡＬＭ（Continuous Air Interface for Long and Medium range）システムに関し、特に、ＩＴＳ（Intelligent Transportation Systems）においてセルラー／ＧＳＭ（Global System for Mobile communications）サービス、WiBro/mobile WiMax（無線インターネット）サービス、ＷＬＡＮ（Wireless Local Area Networks）サービスなど無線メディアを変えながら、途切れることなく通信を行うためのＣＡＬＭシステムの移動マルチメディア端末及び連続マルチメディア通信の提供方法に関する。
【背景技術】
【０００２】
近年、テレマティクス（Telematics）サービスの発展に伴い、自動車はオフィスと家庭に次ぐ第３のインターネット空間となった。また、有線／無線通信及び放送網を介してホームネットワーク及び事務自動化などと連係することによって、テレマティクスサービスは家庭とオフィスで提供される途切れない通信サービスをドライバに提供する。
【０００３】
テレマティクスシステムの標準と関連したエアーインターフェースとして、２.５世代及び３世代ＣＤＭＡセルラーシステム、ＤＳＲＣ（Dedicated Short-Range Communication）用ＣＡＬＭシステム、無線ＬＡＮシステム、無線インターネット又は携帯インターネット（例えば、WiBro、mobile WiMaxなどのようなIEEE802.16e標準）及びＤＭＢ（Digital Multimedia Broadcasting）システムなどが各標準化グループで標準化作業が進められている。
【０００４】
図１は、ISO TC204 WG16により提案された一般のＣＡＬＭシステムの構造を示す図である。
【０００５】
ＣＡＬＭシステムは、図１に示すように、多様な無線通信サービスを提供するために様々なメディアと連係している。具体的に、ＣＡＬＭシステム用無線統合プラットホームは、ＩＴＳサービス、WiBro又はmobile WiMax（無線インターネット）サービス、ＷＬＡＮ（無線ＬＡＮ）サービス、ＩＲ（Infrared）通信サービスなどの多様な無線通信サービスを活用して移動中に車内にいるユーザにも連続的な通信を提供するように研究、開発されている。
【発明の開示】
【発明が解決しようとする課題】
【０００６】
本発明の目的は、セルラー／ＧＳＭサービス、無線インターネットサービス、ＷＬＡＮサービスなど複数の無線マルチメディアサービスを支援し、任意の無線メディアを選択して途切れない通信を行うＣＡＬＭシステムの移動マルチメディア端末を提供することにある。
【０００７】
本発明の他の目的は、セルラー／ＧＳＭサービス、無線インターネットサービス、ＷＬＡＮサービスなど複数の無線マルチメディアサービスを支援し、任意の無線メディアを選択して途切れない通信を行うＣＡＬＭシステムの移動マルチメディア端末において連続マルチメディア通信を提供する方法を提供することにある。
【課題を解決するための手段】
【０００８】
本発明の一態様によるＣＡＬＭシステムの移動マルチメディア端末は、ＣＡＬＭシステムの移動マルチメディア端末であって、少なくとも２つ以上の無線メディア信号を送受信する無線マルチメディア通信送受信部と、前記無線マルチメディア通信送受信部が無線マルチメディア信号の入力を受ける無線メディアのインターフェースＩＤを獲得し、獲得したインターフェースＩＤを有する各無線メディアのための通信チャネルを設定する通信リンク判断及び管理部と、前記通信リンク判断及び管理部を制御して前記インターフェースＩＤを獲得し前記通信チャネルを設定し、前記設定されたチャネルを介してデータの送受信を制御する無線通信制御部とを備える。
【０００９】
また、本発明の他の態様によるＣＡＬＭシステムの移動マルチメディア端末を用いた無線マルチメディア通信サービスの提供方法は、ＣＡＬＭシステムの移動端末を用いてＷＬＡＮ、セルラー／ＧＳＭ、無線インターネット、赤外線、ミリメートル波及びＰＡＮのうちの少なくとも２つ以上の無線メディア通信サービスを提供する方法であって、前記移動マルチメディア端末が無線マルチメディア信号の入力を受ける無線メディアのインターフェースＩＤを獲得する段階と、それぞれ前記獲得されたインターフェースＩＤのうちの１つが割り当てられた無線メディアを決定する段階と、前記決定された無線メディアのそれぞれのための通信チャネルを設定する段階と、前記設定された通信チャネルを介して通信データを送受信する段階と、前記無線通信サービスを行う途中に新たなマルチメディア信号が受信される毎に、前記通信チャネルを新たなチャネルに変更する段階とを含む。
【発明の効果】
【００１０】
本発明によれば、ＣＡＬＭシステムの端末はＷＬＡＮ、ＷｉＢｒｏ、及びセルラーサービスを支援し、このような通信サービスのうちの１つを選択して連続的なマルチメディア通信を提供できるという効果を奏する。
【００１１】
また、交通情報の収集、ＩＴＳアプリケーション（交通情報を収集、提供、管理する）とセルラー及び無線インターネットメディアのような無線メディアのインターフェースＩＤを用いて無線マルチメディア通信を制御する。従って、移動中の車両、或いは中／長距離地域でも連続的な無線通信サービスが提供され得る。
【発明を実施するための最良の形態】
【００１２】
本発明の前記及び他の観点及び態様は上述した好適な実施形態の記載と添付の図面から明らかになる。
【００１３】
以下、添付する図面を参照しつつ、本発明の好適な実施形態を詳細に説明する。
【００１４】
図２は、本発明によるＣＡＬＭシステムの移動マルチメディア端末の概略的な構成図である。
【００１５】
図２を参照すれば、多様な無線マルチメディア通信を１つの端末装置で実現するために、移動マルチメディア端末１０は、複数のアンテナ２０、２２、２４、２６と、無線マルチメディア通信送受信部３０と、無線通信制御部４０と、メモリ５０と、通信リンク判断及び管理部６０と、キー入力部７０と、ディスプレイ部８０と、マイク／スピーカ９０とを備える。
【００１６】
無線マルチメディア通信送受信部３０は、アンテナ２０、２２、２４、２６を介して多様な無線メディアの信号を送受信する。例えば、無線マルチメディア通信送受信部３０は、ＷＬＡＮ通信送受信部３２、セルラー通信（例えば、ＣＤＭＡ又はＧＳＭ）送受信部３４、ＷｉＢｒｏ（Wireless Internet）通信送受信部３６、ＩＲ通信送受信部３８、ミリメートル波通信送受信部（図示せず）、ＰＡＮ（Personal Area Network）通信送受信部（図示せず）などを備える。
【００１７】
無線通信制御部４０は、端末の電源が入ると、通信リンク判断及び管理部６０を制御して初期化手続き（無線マルチメディア通信送受信部３０が無線マルチメディア信号を受信する無線メディアのインターフェースＩＤを獲得する手続き）を行う。その後、無線通信制御部４０は、通信リンク判断及び管理部６０を介して獲得したインターフェースＩＤと、メモリ５０に格納されているＩＤとを比較して獲得したインターフェースＩＤがどの無線メディアなのかを確認し、通信リンク判断及び管理部６０を制御してＣＡＬ（Communications Adaptation Layer）を介して各無線メディアの通信チャネルを設定する。無線メディアを介した連続的な無線マルチメディア通信を行うために、端末はユーザが設定した優先順位を有する無線メディア通信サービスを選択するように、例えば、受動及び自動モードへの切り替えが可能なように選択スイッチを採用するように設計される。結局、選択された無線通信サービスモード（例えば、受動又は自動モード）及びユーザ設定の無線通信サービスの優先順位に応じて無線通信制御部４０は前記優先順位を有する無線メディア通信サービスを提供する。例えば、ユーザが無線通信サービスモードを自動モードに設定し、優先順位がＷＬＡＮ、ＷｉＢｒｏ及びセルラーサービスの順序に設定された場合に、無線通信制御部４０はその順に連続的な通信を行うように制御する。
【００１８】
メモリ５０は、各無線メディア（例えば、ＷＬＡＮ、ＷｉＢｒｏ、セルラー及びＩＲメディア）毎に割り当てられた固有のインターフェースＩＤを格納する。また、メモリ５０は無線メディアのうち、どのメディアのインターフェースＩＤが獲得されたかを確認し、ＣＡＬを介して獲得されたインターフェースＩＤを有する無線メディアを介して通信を行うためのプログラムを格納する。
【００１９】
通信リンク判断及び管理部６０は、無線メディア（例えば、ＷＬＡＮ、ＷｉＢｒｏ及びセルラーメディア）のインターフェースＩＤを獲得し、獲得したインターフェースＩＤを有する各無線メディアのための通信チャネルを設定する。また、通信リンク判断及び管理部６０は管理データとアプリケーションデータを無線メディアを介して区分して伝送するように管理する。
【００２０】
キー入力部７０は、移動マルチメディア端末を作動させるための多様なキー信号（例えば、文字、数字、ファンクションキー信号）の入力を受け、入力されたキー信号を無線通信制御部４０に伝送する。
【００２１】
ディスプレイ部８０（例えば、ＬＣＤ）は、無線通信制御部４０の制御に応じて移動マルチメディア端末、応用プログラムなどの作動状態を表示する。
【００２２】
マイク／スピーカ９０は、無線通信制御部４０の制御に応じて移動マルチメディア端末に音声信号を入力したり、出力する。
【００２３】
このように構成された本発明によるＣＡＬＭシステムの移動マルチメディア端末１０において、キー入力部７０を介して電源キー信号の入力を受けて端末の電源が入ると、無線通信制御部４０は通信リンク判断及び管理部６０を制御して上述した初期化過程を行う。その後、無線通信制御部４０は通信リンク判断及び管理部６０を介してどの無線メディアのインターフェースＩＤが獲得されたかを確認し、通信リンク判断及び管理部６０を制御して獲得されたインターフェースＩＤを有する各無線メディアのための通信チャネルを設定する。通信リンク判断及び管理部６０はＣＡＬを介して、ユーザが設定した無線通信サービスモード及びユーザ設定の無線通信サービスの優先順位に応じて設定された無線メディアの通信チャネルを介した通信が連続的に行われるように管理する。従って、メディア通信送受信部３０を介した連続的な無線マルチメディア通信を行える。
【００２４】
図３は、本発明による移動マルチメディア端末専用のＣＡＬＭ構造のブロック図である。
【００２５】
図３に示すように、本発明による移動マルチメディア端末専用のＣＡＬＭシステムは、例えば、多様な無線マルチメディア通信インターフェースとプロトコルを支援するためにISO TC204 WG16で提案した構造（図１参照）を有する。
【００２６】
ＣＡＬＭ構造を有する無線マルチメディア通信送受信部１１０は、マルチメディアＲＦ通信部１１２と、マルチメディア物理／ＭＡＣ階層デジタル部１１４とを備える。マルチメディアＲＦ通信部１１２は、例えば、ＷＬＡＮ ＲＦ通信部、セルラーＲＦ通信部、ＷｉＢｒｏ ＲＦ通信部からなる。マルチメディア物理／ＭＡＣ階層デジタル部１１４は、ＷＬＡＮ物理／ＭＡＣ階層デジタル部、セルラー物理／ＭＡＣ階層デジタル部、ＷｉＢｒｏ物理／ＭＡＣ階層デジタル部からなる。
【００２７】
通信リンク判断及び管理部１２０は、無線メディアを介して受信した信号を確認して無線メディアのインターフェースＩＤを決定するＣＡＬＭ通信メディア決定部１２４と、インターフェースＩＤに区分される無線メディアの管理データとアプリケーションデータを区分し、ＣＡＬＭ通信メディア決定部１２４で無線メディアに割り当てた通信チャネルを介して区分されたデータをメディア通信送受信部１１０に伝達するメディア管理部１２２を備える。
【００２８】
移動マルチメディア端末はＣＡＬＭ構造を採用してトランスポート階層１３５を介してアプリケーション１４０（Ｎｏｎ-ＣＡＬＭ ａｗａｒｅ、ＣＡＬＭ ａｗａｒｅなど）をネットワーク階層１３０とＣＡＬＭ通信メディア決定部１２４に連結する。ネットワーク階層１３０は、コンバージェンス階層、ＴＣＰ／ＵＤＰインターネットスタンダード、ＩＰｖ６などのネットワークインターフェースを備え、ＣＡＬに連結されている。
【００２９】
図４は、本発明による移動マルチメディア端末に適用されるＣＡＬＭ構造内のメディア決定部とメディア管理部の詳細ブロック図である。
【００３０】
図４に示すように、本発明による移動マルチメディア端末のＣＡＬＭ通信メディア決定部１２４及びメディア管理部１２２は、無線通信の接続、無線メディアのネットワーキング、アプリケーションデータ及び管理データの伝送を行う。
【００３１】
ＣＡＬＭ構造を有するＣＡＬＭ通信メディア決定部１２４は、連続的な無線マルチメディア通信のための多様なメディアインターフェース情報（即ち、IＤ）を設定する。具体的に、ＣＡＬＭ通信メディア決定部１２４は、ＣＭＥ（CALM Management Entity：ＣＡＬＭ管理エンティティ）１２４０、ＮＭＥ（Network Management Entity：ネットワーク管理エンティティ）１２４２、ＩＭＥ（Interface Management Entity：インターフェース管理エンティティ）１２４４、ＭＭＡＥ（Medium Management Adaptation Entity：メディア適応管理エンティティ）１２４６とを備える。
【００３２】
ＣＭＥ１２４０は、最適のメディア通信の選択及びポリシー管理、システム状況の受信、システムの初期化などを行う。ＮＭＥ１２４２は、有効なメディアを検索するための信号を感知してＣＭＥ１２４０に有効なメディアを通知する。ＩＭＥ１２４４は、有効なメディアのうち、最適のメディアにルーティングするためにメディア情報を設定する。ＭＭＡＥ１２４６は、設定されたメディア情報（即ち、インターフェースＩＤ）を伝送する。
【００３３】
ＣＡＬＭ構造を有するメディア管理部１２２は、ＣＡＬＭ通信メディア決定部１２４で設定したインターフェースＩＤに該当する無線メディアを介したデータの伝送のために通信装置を用いて連結を設定する。メディア管理部１２２は、インターフェース処理部１２２２と、ＭＡＣ連結部１２２４とを備える。
【００３４】
メディア管理部１２２において、インターフェース処理部１２２２はＭＭＡＥ１２４６とのインターフェースを担当し、ＭＡＣ連結部１２２４と連結されて初期化（即ち、インターフェースＩＤの獲得）を行う。また、基地局から新たな信号を受信した場合、ＭＡＣ連結部１２２４は信号の変更内容をインターフェース処理部１２２２に通知する。インターフェース処理部１２２２は、ＩＭＥ１２４４及びＮＭＥ１２４２を経てＣＭＥ１２４０に信号の変更事項を伝送する。また、インターフェース処理部１２２２はＭＡＣ連結部１２２４を制御してインターフェースＩＤにより区分される各メディアを介したデータの伝送のための各無線メディア通信チャネルを設定及び管理する。
【００３５】
アプリケーション間のデータ通信のためのデータは、ネットワーク階層１３０からＣＡＬ１５０を介して下位階層に伝達される。データはメディアの選択過程を通じて指定されたインターフェースＩＤに該当するデータ伝送チャネル１２６（デバイスドライバ、ＭＡＣ、モデム及びＲＦを備える）を介して送受信される。
【００３６】
図５は、本発明による移動マルチメディア端末のメディア決定部で無線メディアのインターフェースＩＤを獲得する初期化過程を示す図である。
【００３７】
図５に示すように、ＣＡＬＭ通信メディア決定部１２４は、ＣＡＬＭ通信初期化過程で、無線メディアのインターフェースＩＤを獲得するために管理エンティティ間の通信手続きを行う。
【００３８】
具体的に、ＣＡＬＭ通信メディア決定部１２４は、以下のように、ＣＡＬＭ通信の初期化のためのメディアインターフェース情報を獲得する。即ち、インターフェース情報獲得要求命令がＣＭＥ１２４０からＮＭＥ１２４２とＩＭＥ１２４４を経てＭＭＡＥ１２４６に伝達され、ＭＭＡＥ１２４６が有しているメディア情報がＮＭＥ１２４２とＩＭＥ１２４４を経てＣＭＥ１２４０に伝達される。
【００３９】
更に具体的に、ＣＭＥ１２４０はＮＭＥ１２４２にNME-GetParam.req命令を伝送し、ＮＭＥ１２４２はＩＭＥ１２４４にIME-GetParam.req命令を伝送する。ＩＭＥ１２４４はＭＭＡＥ１２４６にMMAE-GetParam.req命令を伝送し、最後に、ＭＭＡＥ１２４６は無線メディア通信パラメタ情報（即ち、インターフェースＩＤ）を獲得する。
【００４０】
ＭＭＡＥ１２４６は獲得した無線メディアパラメタ情報をＩＭＥ１２４４にMMAE-GetParam.confを用いて伝送し、ＩＭＥ１２４４はＮＭＥ１２４２に無線メディアパラメタ情報をIME-GetParam.confを用いて伝送する。ＮＭＥ１２４２は、無線メディアパラメタ情報をNME-GetParam.confを用いてＣＭＥ１２４０に伝送する。
【００４１】
このように、ＣＡＬＭ通信メディア決定部１２４は、ＣＡＬＭシステムの管理エンティティであるＣＭＥ、ＮＭＥ、ＩＭＥ、ＭＭＡＥ１２４０、１２４２、１２４４、１２４６間の通信を介してＣＭＥ１２４０が各無線メディアのインターフェースＩＤを獲得する初期化過程を行う。
【００４２】
図６は、本発明によるＣＡＬＭシステムの移動マルチメディア端末を用いた連続的なマルチメディア通信のフローチャートである。
【００４３】
図３及び図６を参照すれば、連続的な通信のための無線マルチメディア通信サービス（例えば、ＷＬＡＮ、ＷｉＢｒｏ、セルラーサービス）間のハンドオーバ過程は、以下の通り行われる。
【００４４】
まず、ＣＡＬＭシステムの移動マルチメディア端末は電源が入っているかを判断する（ステップＳ１０）。
【００４５】
電源が入っていると、端末の無線通信制御部４０は、無線マルチメディア通信送受信部１１０を介してＷＬＡＮ、ＷｉＢｒｏ、セルラーメディアなどの無線メディアの通信信号を受信し、受信した無線メディア通信信号を用いて通信リンク判断及び管理部１２０のＣＡＬＭ通信メディア決定部１２４を介して無線メディアのインターフェースＩＤを獲得する初期化過程を行う（ステップＳ１２）。具体的に、通信リンク判断及び管理部１２０のＣＡＬＭ通信メディア決定部１２４は、ＣＭＥ、ＮＭＥ、ＩＭＥ、ＭＭＡＥなどの管理エンティティを介してインターフェースＩＤを獲得する。
【００４６】
その後、端末の制御部は、ユーザが設定した無線通信サービスモードが受動モードなのか自動モードなのかを判断する（ステップＳ１４）。ここで、自動モードとは、例えば、ＷＬＡＮサービスが不可能な地域でＷｉＢｂｒｏやセルラーサービスなどのような無線通信サービスを介して通信の連結が自動で設定されることを意味する。そして、受動モードはユーザからの応答に応じてこのような通信の連結が設定されることを意味する。
【００４７】
端末の制御部は、例えば、ＷＬＡＮ通信の連結を設定するために、メディア管理部１２２を用いてＣＡＬＭ通信メディア決定部１２４で獲得されたインターフェースＩＤがＷＬＡＮインターフェースＩＤなのかを判断する（ステップＳ１６）。
【００４８】
インターフェースＩＤがＷＬＡＮインターフェースＩＤである場合、制御部はメディア管理部１２２を介してＷＬＡＮメディア通信チャネルを割り当て（設定し）、ＷＬＡＮメディア通信の接続方式を選択する（ステップＳ１８〜Ｓ２０）。
【００４９】
制御部は、ＣＡＬを介して無線マルチメディア通信送受信部１１０の物理／ＭＡＣ及びＲＦ部を経てＷＬＡＮ通信サービスが行われるように制御する（ステップＳ２２）。
【００５０】
獲得したインターフェースＩＤがＷＬＡＮインターフェースＩＤでない場合に、制御部はメディア管理部１２２を介して獲得したインターフェースＩＤがＷｉＢｒｏインターフェースＩＤなのかを判断する（ステップＳ２４）。
【００５１】
獲得したインターフェースＩＤがＷｉＢｒｏインターフェースＩＤでない場合に、制御部はセルラーインターフェースＩＤに判断し、既に設定されている無線通信サービスモードが自動モードなのかを判断する（ステップＳ２６〜Ｓ２８）。
【００５２】
無線通信サービスモードが自動モードである場合、制御部はメディア管理部１２２を介してセルラーメディア通信チャネルを割り当て（設定し）、セルラーメディア通信の接続方式を選択する（ステップＳ３０）。
【００５３】
制御部は、ＣＡＬを介して無線マルチメディア通信送受信部１１０の物理／ＭＡＣ及びＲＦ部を経てセルラー通信サービスが行われるように制御する（ステップＳ３２）。
【００５４】
しかしながら、無線通信サービスモードが受動モードである場合に、制御部は無線マルチメディア通信送受信部１１０を介してユーザにユーザ質疑を伝送し、ユーザからそれに対する応答があるかを判断する（ステップＳ３４〜Ｓ３６）。
【００５５】
無線マルチメディア通信送受信部１１０を介して応答を受信した場合、制御部はステップＳ３２でのように、セルラー通信サービスを行う。反面、応答がない場合に、制御部はサービスを終了するか、ステップＳ１６に戻るかを判断する（ステップＳ３８）。
【００５６】
一方、獲得したインターフェースＩＤがＷｉＢｒｏインターフェースＩＤである場合に、制御部はメディア管理部１２２を介してインターフェースＩＤをＷｉＢｒｏメディアに決定し、既に設定されている無線通信サービスモードが自動モードなのかを判断する（ステップＳ４０〜Ｓ４２）。
【００５７】
既に設定されている無線通信サービスモードが自動モードである場合に、制御部はメディア管理部１２２を介してＷｉＢｒｏメディア通信チャネルを割り当て（設定し）、ＷｉＢｒｏメディア通信の接続方式を選択する（ステップＳ４４）。
【００５８】
制御部は、ＣＡＬを介して無線マルチメディア通信送受信部１１０の物理／ＭＡＣ及びＲＦ部を経てＷｉＢｒｏ通信サービスが行われるように制御する（ステップＳ４６）。
【００５９】
無線通信サービスモードが受動モードである場合に、制御部は無線マルチメディア通信送受信部１１０を介してユーザにユーザ質疑を伝送し、ユーザからそれに対する応答があるかを判断する（ステップＳ４８〜Ｓ５０）。
【００６０】
無線マルチメディア通信送受信部１１０を介して応答を受信した場合に、制御部はステップＳ４６のように、ＷｉＢｒｏ通信サービスを行う。反面、応答がない場合に、制御部はキー入力部を介してサービス終了キー信号が入力されるかを判断して（ステップＳ５２）、サービスを終了するか、ステップＳ１６に戻る。
【００６１】
また、ＷＬＡＮ、ＷｉＢｒｏ、セルラーサービス間の途切れないハンドオーバ手続きを行うために、制御部は無線通信サービス中にも利用できるチャネルを周期的に点検し、アップデートする（ステップＳ５４）。
【００６２】
利用できるチャネルが変更された場合、制御部はＣＡＬＭ通信メディア決定部１２０に変更事項を知らせ、ステップＳ１６に戻り、新たなメディア通信設定作業を行う。利用できるチャネルの変更がない場合に、制御部はステップＳ２２、Ｓ３２又はＳ４６でのように、進行中である無線通信サービスを継続して提供するように制御する（ステップＳ５６）。
【００６３】
ステップＳ２２、S３２又はＳ４６の無線通信サービス中に、制御部はキー入力部を介してサービス終了キー信号が入力されるかを判断し（Ｓ５８）、サービスを終了するか、無線通信サービスを継続して提供するかを決定する。
【００６４】
このように、本発明によるＣＡＬＭシステムの無線マルチメディア端末装置を用いて連続的にマルチメディア通信サービスを提供する方法は、無線ＬＡＮ（ＷＬＡＮ）、無線インターネット（WiBro）、セルラー（Cellular）などの無線マルチメディア通信用インターフェースＩＤを獲得して、獲得された無線メディアインターフェースＩＤがどのメディア通信データなのかを確認し、確認されたＩＤに対して該当通信メディアを決定して該当通信用チャネルを割り当て（設定し）、ＣＡＬを介して該当無線メディアとの通信が行われるようにする。
【００６５】
以上、好適な実施形態を中心に本発明を説明したが、上述した請求範囲に記載された本発明の技術的な範疇内で当業者により多様な変形が可能である。
【図面の簡単な説明】
【００６６】
【図１】ISO TC204 WG16により提案された一般のＣＡＬＭシステムの構造を示す図である。
【図２】本発明によるＣＡＬＭシステムの移動マルチメディア端末の概略的な構成図である。
【図３】本発明による移動マルチメディア端末専用のＣＡＬＭ構造のブロック図である。
【図４】本発明による移動マルチメディア端末に適用されるＣＡＬＭ構造内のメディア決定部とメディア管理部の詳細ブロック図である。
【図５】本発明による移動マルチメディア端末のメディア決定部で無線メディアのインターフェースＩＤを獲得する初期化過程を示す図である。
【図６】本発明によるＣＡＬＭシステムの移動マルチメディア端末を用いた連続的なマルチメディア通信のフローチャートである。
【図１】
2009542152.tif 000003
【図２】
2009542152.tif 000004
【図３】
2009542152.tif 000005
【図４】
2009542152.tif 000006
【図５】
2009542152.tif 000007
【図６】
2009542152.tif 000008
【国際調査報告】
2009542152.tif 000009
2009542152.tif 000010